(57)【特許請求の範囲】
【請求項１】
対物レンズを保持するレンズホルダと、該レンズホルダを支持する支持部材とを備えた光ヘッド装置において、前記レンズホルダが、マグネシウム製のコア部を合成樹脂にて一体成形して構成してあり、前記レンズホルダにおける前記対物レンズの取り付け部分と、前記レンズホルダにおける前記支持部材との接触部分とは、前記合成樹脂で構成されていることを特徴とする光ヘッド装置。
【請求項２】
前記コア部の一部にくびれが形成されていることを特徴とする請求項１記載の光ヘッド装置。
【請求項３】
前記コア部の一部に突起が形成されていることを特徴とする請求項１記載の光ヘッド装置。
【発明の詳細な説明】
【０００１】
【発明の属する技術分野】
本発明は、光ディスク装置に用いられる光ヘッド装置に関し、特に、対物レンズを保持するレンズホルダに関する。
【０００２】
【従来の技術】
光ディスク，光磁気ディスク等の光学式記録媒体を駆動させるための光ディスク装置においては、情報の記録，再生を行う手段として光ヘッドが用いられている。この光ヘッドは、半導体レーザ等の光源を備え、この光源から出射される光ビームを対物レンズを介して媒体の情報記録面に集光させ、また、この情報記録面から反射された光ビームを対物レンズを介して光検出素子によって検出することにより、情報の記録，再生を行っている。
【０００３】
このような光ヘッドにあっては、対物レンズとそれを保持するレンズホルダとを一体的に、対物レンズの光軸方向（フォーカシング方向）及び光軸と直交する方向（トラッキング方向）へ変位させる機構が備えられている。そして、このような機構により、光ビームが媒体の情報記録面に対してその記録トラック上を正確に走査するように制御している。
【０００４】
対物レンズを保持するレンズホルダの材料としては、従来よりコスト上の観点から合成樹脂が使用されることが一般的である。
【０００５】
【発明が解決しようとする課題】
光ディスク装置において、フォーカシング方向の制御及びトラッキング方向の制御を行う際、ある特定の周波数より低い周波数では共振がないことが望まれる。しかしながら、光ディスク装置の小型化，薄型化の要求に伴ってレンズホルダを薄くしていった場合、合成樹脂製のレンズホルダではその剛性が不足してそれ自体の共振が低くなって、これらの制御を行えないという問題がある。また、光ディスク装置の高密度化の要求に伴って共振がない周波数域を高くする必要がある場合にも、レンズホルダ自体の共振が問題になる。
【０００６】
本発明は斯かる事情に鑑みてなされたものであり、光ディスク装置が小型，薄型になっても、十分な剛性を有してそれ自体の共振周波数が高いレンズホルダを備え、フォーカシング方向及びトラッキング方向の制御を高精度に行える光ヘッド装置を提供することを目的とする。
【０００７】
【課題を解決するための手段】
本発明の請求項１に係る光ヘッド装置は、対物レンズを保持するレンズホルダと、該レンズホルダを支持する支持部材とを備えた光ヘッド装置において、前記レンズホルダが、マグネシウム製のコア部を合成樹脂にて一体成形して構成してあり、前記レンズホルダにおける前記対物レンズの取り付け部分と、前記レンズホルダにおける前記支持部材との接触部分とは、前記合成樹脂で構成されていることを特徴とする。
本発明の請求項２に係る光ヘッド装置は、請求項１において、前記コア部の一部にくびれが形成されていることを特徴とする。
本発明の請求項３に係る光ヘッド装置は、請求項１において、前記コア部の一部に突起が形成されていることを特徴とする。
【０００８】
本発明の光ヘッド装置では、レンズホルダの一部にマグネシウムを使用し、マグネシウムと合成樹脂とによりレンズホルダを構成する。この場合、マグネシウム製の部分をコアとし、そのコアを合成樹脂にて一体成形する。
【０００９】
このように、本発明によるレンズホルダでは、一部にマグネシウムを使用しているので、薄くなっても、全体が合成樹脂からなる従来例に比して十分な剛性が得られる。また、軽金属であるマグネシウムを用いているので、他の金属を使用する場合に比して軽量である。レンズホルダの剛性の強さは、それを構成する材料のヤング率と密度との比に関係しており、また、その重さは、それを構成する材料の密度に関係する。図１２に、４種の物質（マグネシウム，アルミニウム，鉄，合成樹脂（ＰＰＳ：ポリ・フェニル・サルファイド））のヤング率Ｅ，密度ρを示す。
【００１０】
マグネシウムは密度が１．７４ｇ／ｃｍ３  であって、合成樹脂ＰＰＳの密度１．６６ｇ／ｃｍ３  と比較してもあまり変わらないが、そのヤング率は４．２３×１０１０Ｐａであり、合成樹脂ＰＰＳのヤング率  １．５×１０１０Ｐａに比べると非常に大きい。また、マグネシウムは、アルミニウム，鉄等の他の金属に比べると密度は小さいが、ヤング率と密度との比には大差がない。よって、マグネシウムを一部に使用する本発明のレンズホルダでは、軽量化を保ちながら、剛性を強くできる。
【００１１】
ところで、合成樹脂は金属に比べて加工性に富むので、本発明のレンズホルダの高度な寸法精度が要求される部分、例えば対物レンズの取り付け部分等には合成樹脂を使用する。また、レンズホルダを支持する弾性材からなる支持部材との接触面は非導電性の合成樹脂にて構成することにより、支持部材とレンズホルダとを電気的に絶縁して、フォーカシング制御用の第１電磁コイル及びトラッキング制御用の第２電磁コイルと支持部材との電気的導通を図ることができる。更に、マグネシウムの部分をくびれまたは突起を有する構造とすることにより、合成樹脂部分との強い結合を図ることができる。
【００１２】
【発明の実施の形態】
以下、本発明をその実施の形態を示す図面を参照して具体的に説明する。
【００１３】
図１は、本発明の光ヘッド装置の構成を示す斜視図である。図１において、１０は、偏平な平板状のベースである。ベース１０の長手方向の端部には、幅方向に所定間隔を隔てて２つの固定部材９が設けられている。また、１は対物レンズであり、対物レンズ１はレンズホルダ２に取り付け支持されている。レンズホルダ２は、対物レンズ１及びレンズホルダ２を一体的に対物レンズ１の光軸方向（フォーカシング方向）へ駆動するためのフォーカシングコイル３と、対物レンズ１及びレンズホルダ２を一体的に対物レンズ１の光軸と直交する方向（トラッキング方向）へ駆動するためのトラッキングコイル４とを、対物レンズ１との両側に一対ずつ備える。これらのフォーカシングコイル３，トラッキングコイル４に対応して、磁石５，ヨーク７が配置されている。
【００１４】
レンズホルダ２は、各固定部材９に一端が固定された２本ずつ計４本のワイヤからなる支持部材８によって、フォーカシング方向及びトラッキング方向へ移動可能に支持されている。また、レンズホルダ２の下方には、光源（図示せず）からの光ビームを対物レンズ１に導くための立ち上げミラー６が設けられている。
【００１５】
光源から出射された光ビームは立ち上げミラー６で反射され、対物レンズ１に導かれ、記録媒体（図示せず）に照射される。この際、フォーカシングコイル３に電流を供給してレンズホルダ２が光軸と平行な方向へ変位してフォーカシング制御が行われると共に、トラッキングコイル４に電流を供給してレンズホルダ２が光軸と直交する方向へ変位してトラッキング制御が行われる。
【００１６】
図２は、本発明の特徴部分である、図１に示すレンズホルダ２の斜視図である。レンズホルダ２は、平面視で略Ｈ字状をなしており、その横棒部２１の中央には対物レンズ１を取り付けるための孔２２が形成されている。また、横棒部２１は２つの縦棒部２３から少し突出していて突出部２４となっている。この突出部２４に、前記支持部材８（ワイヤ）の他端が取り付けられている。
【００１７】
このレンズホルダ２は、マグネシウム製のコア部２５（図２で破線で示す部分）を合成樹脂にて一体成形して構成されている。このコア部２５の斜視図を図３に示す。コア部２５は、レンズホルダ２を略相似状に縮小したＨ字状をなし、その中央部には孔２２と略同径の孔２６が形成されている。このコア部２５の周りを合成樹脂でモールドすることによりレンズホルダ２を構成するが、支持部材８を取り付ける突出部２４は、マグネシウムが含まれておらず、すべて合成樹脂から構成されている。
【００１８】
このようなレンズホルダ２は、マグネシウム製のコア部２５をダイキャストで成形または板金で製作し、そのコア部２５と合成樹脂とを一体成形することにより、容易に作製することができ、低コストで大量生産も可能である。なお、対物レンズ１を取付けるための孔２２の近傍部、及び、支持部材８を取り付ける突出部２４等の寸法精度が必要な部分については、マグネシウムのダイキャストでは作製困難であるので、合成樹脂をモールドすることにより、更なる低コスト化を図れる。
【００１９】
本発明の光ヘッド装置では、上述したように、レンズホルダ２の一部分（図２の破線及び図３に示すコア部２５）をマグネシウムの部材にし、かつその部分と合成樹脂とを一体成形して構成しているので、従来例に比してレンズホルダ２の剛性を高くしてその共振周波数を高くすることが可能となる。また、使用する金属が低密度のマグネシウムであるので、従来例と同様に軽量化を保つことができ、レンズホルダ２を駆動する際にフォーカシングコイル３，トラッキングコイル４に大電流を流す必要がない。
【００２０】
図４に、上述したマグネシウムをその一部に使用したレンズホルダ２を備えた本発明の光ヘッド装置におけるフォーカシング方向のゲイン，位相の周波数特性の測定結果を示す。また、比較例として、すべてが合成樹脂のみからなるレンズホルダを備えた従来の光ヘッド装置における同様の測定結果を、図５に示す。図４，図５を比較すれば、マグネシウムを加えた場合の方が高次共振周波数が高いことがわかる。よって、この結果、本発明の光ヘッド装置では、フォーカシング制御及びトラッキング制御を高精度に行える。
【００２１】
本実施の形態では、支持部材８とレンズホルダ２との接触面（突出部２４）を導電性がない合成樹脂で構成しているので、フォーカシングコイル３及びトラッキングコイル４のそれぞれの端子と導電性がある支持部材８のそれぞれの端子とをつなぐことにより、電気的な導通を図ることができる。従って、支持部材８に通電することにより、フォーカシングコイル３及びトラッキングコイル４に電流を流してフォーカシング制御とトラッキング制御との両方の制御を行える。
【００２２】
なお、フォーカシングコイル３及びトラッキングコイル４も同時にレンズホルダ２と一体成形することにすれば、より剛性が高くなり、工程も少なくてすむ。また、支持部材８も一体成形することにすれば、更に工程が少なくてすむ。
【００２３】
レンズホルダ２におけるマグネシウム製のコア部２５の形状をＨ字状としたが、これは一例であって、他の形状であっても良い。図６〜図９に他の形状を有するコア部２５の斜視図を示す。図６はロ字状をなすコア部２５の例、図７はコ字状をなすコア部２５の例、図８はＩ字状をなすコア部２５の例、図９はＬ字状をなすコア部２５の例をそれぞれ示しており、各例とも図３の例と同様の効果を奏する。
【００２４】
また、図１０，図１１に、マグネシウム製のコア部２５の更に他の例の斜視図を示す。図１０に示す例では、全体がＨ字状をなすコア部２５の一部にくびれ３０が形成されている。図１１に示す例では、全体がＨ字状をなすコア部２５の一部に突起３１が形成されている。このように、マグネシウム製のコア部２５がくびれ３０または突起３１を持つ構造にすることにより、合成樹脂部分との結合を強くできる。
【００２５】
なお、図１に示す例では、支持部材８の弾性材としてワイヤを使用したが、板ばねを用いても良い。また、レンズホルダ２を支える方法として、フォーカシング方向へ移動可能な弾性材からなる支持部材とトラッキング方向へ移動可能な弾性材からなる支持部材とが中間部を介して接続しているような構成にしても良い。また、図１の例では、フォーカシングコイル３及びトラッキングコイル４を対物レンズ１の両側に１対設けたが、片側だけにしても良い。
【００２６】
【発明の効果】
以上のように、本発明の光ヘッド装置では、対物レンズを保持するレンズホルダの一部分をマグネシウムの部材にし、マグネシウムと合成樹脂とによりレンズホルダを構成したので、軽量化を保ちながらレンズホルダの剛性を強くすることができ、フォーカシング，トラッキングの制御を高精度に行える。
【００２７】
また、支持部材とのレンズホルダの接触面を非導電性の合成樹脂にて構成したので、フォーカシングコイル及びトラッキングコイルと支持部材との電気的導通を図ることができる。更に、レンズホルダのマグネシウム製の部分にくびれまたは突起を設けているので、合成樹脂部分との強い結合を図ることができる。
【図面の簡単な説明】
【図１】本発明の光ヘッド装置の構成を示す斜視図である。
【図２】本発明の光ヘッド装置におけるレンズホルダの斜視図である。
【図３】レンズホルダのマグネシウム製のコア部の斜視図である。
【図４】本発明の光ヘッド装置におけるフォーカシング方向の周波数特性の測定結果を示すグラフである。
【図５】従来の光ヘッド装置におけるフォーカシング方向の周波数特性の測定結果を示すグラフである。
【図６】レンズホルダのマグネシウム製のコア部の他の例を示す斜視図である。
【図７】レンズホルダのマグネシウム製のコア部の更に他の例を示す斜視図である。
【図８】レンズホルダのマグネシウム製のコア部の更に他の例を示す斜視図である。
【図９】レンズホルダのマグネシウム製のコア部の更に他の例を示す斜視図である。
【図１０】レンズホルダのマグネシウム製のコア部の更に他の例を示す斜視図である。
【図１１】レンズホルダのマグネシウム製のコア部の更に他の例を示す斜視図である。
【図１２】４種の物質におけるヤング率，密度を示す図表である。
【符号の説明】
１  対物レンズ
２  レンズホルダ
３  フォーカシングコイル
４  トラッキングコイル
８  支持部材
２４  突出部
２５  コア部
３０    くびれ
３１    突起
【図１】
0003567310.tif 000002
【図２】
0003567310.tif 000003
【図３】
0003567310.tif 000004
【図４】
0003567310.tif 000005
【図５】
0003567310.tif 000006
【図６】
0003567310.tif 000007
【図７】
0003567310.tif 000008
【図８】
0003567310.tif 000009
【図９】
0003567310.tif 000010
【図１０】
0003567310.tif 000011
【図１１】
0003567310.tif 000012
【図１２】
0003567310.tif 000013